(57)【特許請求の範囲】
【請求項１】
着用者の胴体前部分を覆う前身頃と、着用者の胴体後部分を覆う後身頃と、その後身頃および前記の前身頃の間に位置して着用者の肩部分を覆うショルダーベルトとを備えたツールベストであって、
前記の後身頃には、着用者の肩部分に接触する肩接触部材を備え、
前記のショルダーベルトは、前記の前身頃へ一端を固定されるとともに、前記の肩接触部材における着用者との接触面の上方を通って前記の後身頃へ固定される伸縮部材へ他端を固定され、
前記の伸縮部材は、ショルダーベルトの長さ方向における着用者の肩に沿った前身頃と後身頃の距離が変化可能であるように形成したツールベスト。
【請求項２】
着用者の胴体前部分を覆う前身頃と、着用者の胴体後部分を覆う後身頃と、その後身頃および前記の前身頃の間に位置して着用者の肩部分を覆うショルダーベルトとを備えたツールベストであって、
前記の前身頃には、着用者の肩部分に接触する肩接触部材を備え、
前記のショルダーベルトは、前記の後身頃に一端を固定されるとともに、前記の肩接触部材における着用者との接触面の上方を通って前記の前身頃へ固定される伸縮部材へ他端を固定され、
前記の伸縮部材は、ショルダーベルトの長さ方向における着用者の肩に沿った前身頃と後身頃との距離が変化可能であるように形成したツールベスト。
【請求項３】
前記の伸縮部材は、前記の前身頃および前記の後身頃に対して着脱可能に形成した請求項１または請求項２のいずれかに記載のツールベスト。
【発明の詳細な説明】
【技術分野】
【０００１】
本発明は、アウトドアや所定の作業にて用いるツールなどを収納したり、救命のために浮力材を収納したりするツールベストに関する。
【背景技術】
【０００２】
釣り、キャンプ、ハンティングなどのアウトドアスポーツにおいては、その活動において様々なツールが必要となる。そうしたツールを収納し、且つ必要な場面ではすぐに取り出せる服として、ツールベストが普及している。すなわち、左右の前身頃や後ろ身頃にいくつかのポケットを備え、ツールの収納空間を確保している。  同様に、作業者が作業用のツールを収納するのに用いるワークベストも存在する。
釣りにおけるツールベストとしては、落水時の救命のために浮力材を収納しつつ、釣りに用いる様々なツールをも収納可能なフローティングベストも普及している。
【０００３】
ツールベスト本体およびツールベストに収納したツールの重さのほとんどは、着用者の肩部分が支えることとなる。しかし、ツールベスト本体が着用者の身体に密着していれば、ツールベストの内側と着用者との接触部分に重さが分散する。したがって、ツールベストには、着用者の身体に密着させるために、肩部分や腰回りに調整ベルトを備えている。
【０００４】
特許文献１においては、背中に着用具が密着する不快感といった利用者の不満を解消し、温度保有媒体の温熱及び冷却効果を向上させるため、人体側との接触面をメッシュ状に形成したり、収納部近傍に伸縮部を設けたりした着用具が開示されている。
【０００５】
特許文献２においては、調節ベルトの調節具に釣り糸が絡まるおそれがある、という釣り用ベストにおける特有の問題点を解決するため、記調節ベルトは、調節具が布状体の内側に位置するように形成した釣り用ベストが開示されている。
特許文献３においても、調整ベルトに関する工夫をした釣り服が開示されている。ここでは、ベルト長さ調整具が着用者の身体に振れないような構造を提供することで、着用時の快適性を向上させようというものである。
【先行技術文献】
【特許文献】
【０００６】
【特許文献１】特開２００２−３１７３１４号公報
【特許文献２】特開２０００−８２０５号公報
【特許文献３】特開２００２−１３０１０号公報
【発明の概要】
【発明が解決しようとする課題】
【０００７】
釣り用ベストに代表されるツールベストは、ツールを収納している際には両手が自由になるということから、前述したように、多くのポケット（収納空間）を備えている。ツールの取り出しや収納の便利さから、特に前身頃に備えられたポケットには、多くのツールを収納してしまう。
【０００８】
前述したように、ツールベスト本体およびツールベストに収納したツールの重さのほとんどは着用者の肩部分が支えることとなるが、ツールベスト本体が着用者に密着している場合には、着用者との接触部分に重さを分散させることができる。
しかし、着用者がツールベストを揺り動かすような動作（たとえば歩いたり、前屈みになったり、という動作）をすると、ツールベストと着用者との接触部分が離れ、分散されていた重さが肩へ掛かってしまう瞬間がある。瞬間的であるために、その重さは小さくても衝撃となり、着用者への負担は小さくない。
【０００９】
本発明が解決しようとする課題は、ツールベストの着用者に対して、ツールベストが揺れ動いた際に生じる肩への負担を軽減できる技術を提供することにある。
【課題を解決するための手段】
【００１０】
（第一の発明）
第一の発明は、着用者の胴体前部分を覆う前身頃(10)と、着用者の胴体後部分を覆う後身頃(20)と、その後身頃(20)および前記の前身頃(10)の間に位置して着用者の肩部分を覆うショルダーベルト(30)とを備えたツールベストに係る。
前記の後身頃(20)には、着用者の肩部分に接触する肩接触部材(31)を備える。
前記のショルダーベルト(30)は、前記の前身頃(10)へ一端を固定されるとともに、前記の肩接触部材(31)における着用者との接触面の上方を通って前記の後身頃(20)へ固定される伸縮部材(29)へ他端を固定される。
前記の伸縮部材(29)は、ショルダーベルト(30)の長さ方向における着用者の肩に沿った前身頃(10)と後身頃(20)の距離が変化可能であるように形成した（図３参照）。
【００１１】
（用語説明）
「ツールベスト」とは、ツール、浮力材を収納するスペースやポケットを備えたベストであり、アウトドアスポーツで用いられるアウトドアベストのほか、作業者が作業用のツールを収納するのに用いるワークベストも含まれることとする。
「着用者」とは、本願発明に係る「ツールベスト」を着用する人である。「ツールベスト」がフィッシングベストであれば釣り人であり、ツールベストがワークベストであれば作業者である。
「ショルダーベルト(30)」について「伸縮部材(29)へ他端を固定」されるとは、全く動かないように縫い付けられるような場合、他の部材を介して固定される場合などのほか、実施形態に示すように他の部材（伸縮部材(29)）を介して保持される場合も含む。
また、「接触面の上方を通って」とは、着用者には接触しないという趣旨である（後述する実施形態を参照）。
「肩接触部材(31)」は、前身頃(10)や後身頃(20)とは独立させた部材として構成してもよいし、後身頃(20)と一体に形成してもよい。
「伸縮部材(29)」とは、ツールベストの重さが着用者への衝撃となる事態において、その衝撃を吸収するために伸びるまたは縮む部材である。たとえば合成ゴムを用いた帯状の伸縮体を一部に含む、または全体が帯状の伸縮体からなる部材などである。コイルスプリング、ダンパーあるいはコイルスプリングと帯状のゴムとを組み合わせたような複合的な弾性体としてもよい。後述する実施形態においては伸びることで衝撃を吸収する構造を採用しているが、ゴム、スプリング、ダンパーなどは、縮むことによって衝撃を吸収するような構造としてもよい。
「伸縮部材(29)」が後身頃(20)やショルダーベルト(30)へ固定される構造については、直接縫い付けたり、他の部材を介在させたり、様々である。
【００１２】
（作用）
本発明に係るツールベストを着用者が着用した場合、ツールベストの前身頃(10)が着用者の上半身の前側へ、後身頃(20)が上半身の後側へ、それぞれ位置する。そして、着用者の肩には、ショルダーベルト(30)における肩接触部材(31)が接触する。そして、着用者は、ツールベストを身体に密着させ、必要なツールをツールベストへ収納する。
着用者が動いた場合にツールベストにおける前身頃(10)との密着性が失われた瞬間、密着が離れることによってその密着面にて支えられていたツールベストの重量は、衝撃的な下方向の力となってショルダーベルト(30)を介して着用者の肩への負担となる。しかし、この瞬間の下方向の力は、伸縮部材を含んだ伸縮部材(29)が伸縮することで、着用者の肩へ伝わる時間を長くする。そのため、衝撃的な下方向の力は着用者の肩へゆっくりと伝わることとなり、着用者の肩への負担は緩和される。
【００１３】
（第二の発明）
第二の発明もまた、着用者の胴体前部分を覆う前身頃(40)と、着用者の胴体後部分を覆う後身頃(50)と、その後身頃(50)および前記の前身頃(40)の間に位置して着用者の肩部分を覆うショルダーベルト(60)とを備えたツールベストに係る。
前記の前身頃(40)には、着用者の肩部分に接触する肩接触部材(61)を備える。
前記のショルダーベルト(60)は、前記の後身頃(50)に一端を固定されるとともに、前記の肩接触部材(61)における着用者との接触面の上方を通って前記の前身頃(40)へ固定される伸縮部材(49)へ他端を固定される。
「肩接触部材(61)」は、前身頃(40)や後身頃(50)とは独立させた部材として構成してもよいし、前身頃(40)と一体に形成してもよい。
前記の伸縮部材(49)は、ショルダーベルト(60)の長さ方向における着用者の肩に沿った前身頃(40)と後身頃(50)との距離が変化可能であるように形成している（図５参照）。
【００１４】
（作用）
着用者が動いた場合にツールベストにおける後身頃(50)との密着性が失われた瞬間、第一の発明と同様に機能する。
着用者が着用している際に後身頃(50)との密着性が失われることの多いツールベスト、後身頃(50)が重くなることが多いツールベストに採用することが向いている。
換言すれば、第一の発明は、着用者が着用している際に前身頃(10)との密着性が失われることの多いツールベスト、前身頃(10)が重くなることが多いツールベストに採用することが向いている。
【００１５】
（第一および第二の発明のバリエーション１）
第一の発明および第二の発明における伸縮部材(29,49)は、前記の前身頃および前記の後身頃に対して着脱可能に形成すると、より好ましい。
伸縮部材(29,49)が劣化した場合に交換したり、衝撃吸収の速度（弾性係数など）を着用者の好みで変化させたりしたい場合などに便利である。
伸縮部材(29,49)をショルダーベルトの一部として形成するとともに、そのショルダーベルトを前記の前身頃および前記の後身頃に対して着脱可能に形成してもよい。ワンタッチファスナーなどを介在させて着脱可能に形成してもよい。
【００１６】
（第一および第二の発明のバリエーション２）
第一の発明および第二の発明におけるショルダーベルト(60)は、布製の帯状体であるベルト本体(63)を備えて構成され、前記の前身頃(40)または前記の後身頃(50)に対して、前記の伸縮部材(29,49)を介して固定されることとしてもよい。
【発明の効果】
【００１７】
第一の発明および第二の発明によれば、ツールベストの着用者に対して、ツールベストが揺れ動いた際に生じる肩への負担を軽減できるツールベストを提供することができた。
【図面の簡単な説明】
【００１８】
【図１】本発明の第一の実施形態に係るフローティングベストの正面図である。
【図２】本発明の第一の実施形態に係るフローティングベストの背面図である。
【図３】本発明の第一の実施形態に係るフローティングベストの側断面図である。
【図４】本発明の第一の実施形態に係るフローティングベストを使用した場合の作用を示す側面図である。
【図５】本発明の第二の実施形態に係るフローティングベストの側断面図である。
【発明を実施するための形態】
【００１９】
以下、本発明の実施形態について図面を参照して説明する。ここで用いる図面は、図１から図５である。図１から図４は第一の実施形態を示し、図５は第二の実施形態を示す。
【００２０】
図１および図２では、第一の実施形態に係るフィッシングベストの全体を示している。
ここに示すフィッシングベストは、左右一対の前身頃１０，１０と、一枚の後身頃２０とが両脇に備えられたウエスト調整ベルト１３，１３に連結されて形成されている。
前身頃１０，１０の前端縁同士は、ファスナによって開閉自在である。また、前身頃１０，１０および後身頃２０には、発泡プラスチックなどの材質にて形成された板状の浮力材が収納されている。
着用者（釣り人）が着用した場合に、前身頃１０における着用者の身体側に位置する面を前体側面１１とし、後身頃２０における着用者の身体側に位置する面を後体側面２１とする。
【００２１】
図３（ａ）にて示すように、前身頃１０および後身頃２０の上部は、ショルダーベルト３０によって連結されている。
後身頃２０には、その上部から連続して形成されて着用者の肩部分に接触する肩接触部材３１が備えられている。
このショルダーベルト３０は、前身頃１０の上部から肩接触部材３１の上方を通って後身頃２０の上部にて折り返されるベルト本体３３を備える。
そのベルト本体３３の一端は、前身頃１０の上部における前体側面１１とは反対側の面（外側面）に縫いつけて固定されている。そして、「日」の字形をなした前ベルト通し３６を挿通し、肩接触部材３１の上面に接する筒状の肩上部材３４を貫通して後身頃２０の上部に達する。
【００２２】
後身頃２０の上部には、「口」の字形のリング状をなした後ベルト通し３５を挿通した状態で一端を固定される伸縮部材（合成ゴム製の板材）たるベルト通し固定部２９が着用者の肩の後辺りに縫い付けられている。このベルト通し固定部２９は、ショルダーベルト３０における着用者の肩に沿った前身頃１０と後身頃２０の距離を変化させることが可能であるような伸縮部材として機能する。
本実施形態においては、伸縮部材としてのベルト通し固定部２９は、無付加状態における長さの１．５倍ほどの伸縮可能なゴム製ベルト（ポリエステル糸を巻き付けた合成ゴム糸で編んだ布地）を採用している。
【００２３】
図３（ｂ）に示すが、肩上部材３４を前身頃１０側から挿入されて後身頃２０側へ貫通したベルト本体３３は、後ベルト通し３５にて折り返され、後身頃２０側から再び肩上部材３４を貫通する。前身頃１０側へ肩上部材３４を貫通したベルト本体３３は、前ベルト通し３６を通され、ベルト本体３３の端部は、前体側面１１側の上部に設けられたベルト端保持部１９に達する。
ベルト端保持部１９に達する長さを長くしたり、短くしたりすることで、着用者の体格にフィットさせる（密着させる）。
【００２４】
着用者が本実施形態に係るフローティングベストを着用する場合、前述したショルダーベルト３０におけるベルト本体３３を調整したり、ウエスト調整ベルト１３，１３を調整したりして、着用者の身体に密着させる。密着するのは、前身頃１０の前体側面１１、後身頃２０の後体側面２１および肩接触部材３１の下面である。そうして密着した面に生じた摩擦力によって、本実施形態に係るフローティングベストおよびそのフローティングベストに収納された浮力体やツールを支えている。
【００２５】
図４（ａ）および（ｂ）に示すように、着用者が前屈みとなる動作をすると、前身頃１０の前体側面１１が着用者から離れ、前体側面１１および着用者の間に存在していた摩擦力が無くなる。その結果、前身頃１０を押し下げようとする力が発生する。そして、伸縮部材であるベルト通し固定部２９が伸びることで、前身頃１０を押し下げようとする力を、瞬間的なものではなく、時間を掛けた緩やかなものに変換する。その結果、後身頃２０の後体側面２１および肩接触部材３１の下面だけで支えることとなった力、特に肩接触部材３１の下面へ発生する力の衝撃を弱め、着用者に対する負荷を軽減する。
【００２６】
肩上部材３４は、その下面が肩接触部材３１の上面と接し、摩擦力が発生している。前身頃１０と後身頃２０とが引き離される方向の力（たとえば、前身頃１０を押し下げようとする力）が発生した場合、肩上部材３４の下面と肩接触部材３１の上面とに生じる摩擦力が前記の力に抗する。摩擦力に勝る力が発生した場合、伸縮部材であるベルト通し固定部２９が更に伸び、肩上部材３４は、前身頃１０側へ移動する。このときも、肩接触部材３１の下面へ発生する力の衝撃を弱め、着用者の肩へ伝わる時間を長くする。そのため、衝撃的な下方向の力は着用者の肩へゆっくりと伝わることとなり、着用者の肩への負担は緩和される。
【００２７】
ベルト通し固定部２９は、縫い付けて固定されている。しかし、後身頃２０におけるベルト通し固定部２９を着脱自在である保持方法を採用すれば、伸縮部材であるベルト通し固定部２９が劣化した場合に交換したり、衝撃吸収の速度（弾性係数など）を着用者の好みで変化させたりしたい場合などに便利である。
【００２８】
図５に基づいて、第二の実施形態を説明する。
この第二の実施形態は、着用者の胴体前部分を覆う前身頃４０と、着用者の胴体後部分を覆う後身頃５０と、その後身頃５０および前記の前身頃４０の間に位置して着用者の肩部分を覆うショルダーベルト６０とを備えたツールベストに係る。
前身頃４０における着用者の身体側に位置する面を前体側面４１とし、後身頃５０における着用者の身体側に位置する面を後体側面５１とする。  前身頃４０および後身頃５０の上部は、ショルダーベルト６０によって連結されている。また、前身頃４０には、その上部から連続して形成されて着用者の肩部分に接触する肩接触部材６１が備えられている。
【００２９】
このショルダーベルト６０は、前身頃４０の上部から肩接触部材６１の上方を通って後身頃５０の上部にて折り返される布製の帯状体であるベルト本体６３を備える。
そのベルト本体６３の一端は、前身頃４０の上部における前体側面１１とは反対側の面（外側面）に縫いつけて固定されている。そして、「日」の字形をなした前ベルト通し３６を挿通し、肩接触部材６１の上面に接する筒状の肩上部材６４を貫通して後身頃５０の上部に達する。
【００３０】
前身頃４０の上部には、「口」の字形のリング状をなした前ベルト通し６５を挿通した状態で一端を固定される伸縮部材（合成ゴム製の板材）たるベルト通し固定部４９が着用者の肩の前辺りに縫い付けられている。このベルト通し固定部４９は、ショルダーベルト６０における着用者の肩に沿った前身頃４０と後身頃５０の距離を変化させることが可能であるような伸縮部材として機能する。
前述のベルト通し固定部４９もまた、無付加状態における長さの１．５倍ほどの伸縮可能なゴム製ベルト（ポリエステル糸を巻き付けた合成ゴム糸で編んだ布地）であり、伸縮部材として機能する。
【００３１】
肩上部材６４を後身頃５０側から挿入されて前身頃４０側へ貫通したベルト本体６３は、前ベルト通し６５にて折り返され、前身頃４０側から再び肩上部材６４を貫通する。後身頃５０側へ肩上部材６４を貫通したベルト本体６３は、後ベルト通し６６を通され、ベルト本体６３の端部は、後体側面５１側の上部に設けられたベルト端保持部５９に達する。
ベルト端保持部５９に達する長さを長くしたり、短くしたりすることで、着用者の体格にフィットさせる（密着させる）。
【００３２】
本実施形態に係るツールベストの着用者が動いた場合であって着用者と後身頃５０との密着性が失われた瞬間、伸縮部材であるベルト通し固定部４９が伸びることで、後身頃５０を押し下げようとする力を、瞬間的なものではなく、時間を掛けた緩やかなものにする。その結果、着用者の肩への負担を衝撃的な力ではなく、緩やかに加わる重量とする。
着用者が着用している際に後身頃５０との密着性が失われることの多いスポーツなどに用いるツールベスト、後身頃５０が前身頃４０よりも重くなることが多いツールベストに採用することが向いている。
【００３３】
第一および第二の実施形態における伸縮部材としては、ゴム製ベルト（ポリエステル糸を巻き付けた合成ゴム糸で編んだ布地）によるベルト通し固定部２９，４９を採用したが、ショルダーベルト３０，６０として機能する部材の一部が伸縮する伸縮部材であればよい。たとえば、ベルト本体３３，６３やベルト通し３５，６５などが伸縮する伸縮部材として機能することとしても良い。
【００３４】
第一および第二の実施形態は、フィッシングベストとしたが、本願発明はフィッシングベストに限られず、ワークウェアとしてのワークベスト、アウトドアスポーツなどで用いられるツールベストであれば採用可能である。
【産業上の利用可能性】
【００３５】
本発明は、釣り具やアウトドアウェア、ワークウェアの製造業、釣り具やアウトドア用品のレンタル業、アウトドアスポーツのインストラクター事業などにおいて、利用可能性を有する。
【符号の説明】
【００３６】
１０；  前身頃                    １１；  前体側面
１３；  ウエスト調整ベルト
１８；  ショルダーベルト固定部    １９；  ベルト端保持部
２０；  後身頃                    ２１；  後体側面
２９；  伸縮部材（ベルト通し固定部）
３０；  ショルダーベルト          ３１；  肩接触部材
３３；  ベルト本体
３４；  肩上部材                  ３５；  後ベルト通し
３６；  前ベルト通し
４０；  前身頃                    ４１；  前体側面
４９；  伸縮部材（ベルト通し固定部）
５０；  後身頃                    ５１；  後体側面
５８；  ショルダーベルト固定部    ５９；  ベルト端保持部
６０；  ショルダーベルト          ６１；  肩接触部材
６３；  ベルト本体
６４；  肩上部材                  ６５；  後ベルト通し
６６；  前ベルト通し
【図１】
0006324342.tif 000002
【図２】
0006324342.tif 000003
【図３】
0006324342.tif 000004
【図４】
0006324342.tif 000005
【図５】
0006324342.tif 000006